(57)【要約】【課題】  清掃性に優れる、曲げやすく清掃等の操作性に優れる、及び／又は装着しやすく破断しにくい指サックを提供すること。【解決手段】  本発明の指サックは、１種又は２種以上の繊維シートからなり、前記繊維シートが接合されていることによって中空部を形成できる指サックであり、前記繊維シートの少なくとも１種が折り襞を有する。前記折り襞の折目線が指サックの長さ方向と交差する方向に延びているのが好ましい。また、機能性粉体、特にハイドロキシアパタイトを担持した繊維シートを有するのが好ましい。本発明の指サックは口腔内清掃用に好適に使用できる。【選択図】      図１
2015130993.tif 000002
【特許請求の範囲】
【請求項１】
１種又は２種以上の繊維シートからなり、前記繊維シートが接合されていることによって中空部を形成できる指サックであり、前記繊維シートの少なくとも１種が折り襞を有することを特徴とする指サック。
【請求項２】
折り襞の折目線が指サックの長さ方向と交差する方向に延びていることを特徴とする、請求項１に記載の指サック。
【請求項３】
機能性粉体を担持した繊維シートを有することを特徴とする、請求項１又は請求項２に記載の指サック。
【請求項４】
前記機能性粉体がハイドロキシアパタイトであることを特徴とする、請求項３に記載の指サック。
【請求項５】
口腔内清掃用に用いることを特徴とする、請求項１〜４のいずれか一項に記載の指サック。
【発明の詳細な説明】
【技術分野】
【０００１】
本発明は指サックに関する。特に、歯や歯茎の清掃やマッサージのために使用できる指サックに関する。
【背景技術】
【０００２】
歯周病の予防、歯茎の強化、又は口臭予防するために、食後に口腔内を清潔にするのが好ましい。そのため、通常は歯ブラシを用いて歯磨きをして、口腔内を清潔に保っている。しかしながら、外出先で歯磨きをするのが困難な場合が多く、また、病人が寝たまま歯磨きをするのも困難な場合が多かった。更には、ペット動物が歯ブラシを警戒し、歯磨きをするのが困難な場合も多かった。
【０００３】
そのため、口腔内を清潔にできるように、歯ブラシの代わりに指サックを用いることが提案されている。例えば、特開平９−２２０２４３号公報（特許文献１）、特開２００５−３３４０６５号公報（特許文献２）、特開２００１−２４５７２５号公報（特許文献３）、実開平４−１０４９２２号公報（特許文献４）には、口腔内を清掃できる指サックが提案されている。具体的には、これら指サックとして、和紙、ウォータージェット方式により作製したコットン製不織布、又はスパンボンド不織布を用いて作製した指サック、或いは熱収縮性の不織布を熱収縮させた指サックが開示されている。しかしながら、これら指サックは歯と歯との間の隙間まで清掃することが困難であるなど、清掃性が十分なものではなかった。
【０００４】
また、このような指サックを使用する場合、挿入した指を曲げたり伸ばしたりして清掃等を行うが、これら従来の指サックは硬く、曲げにくいため、清掃等の操作性に劣り、場合によっては、不織布自体、又は不織布同士の接合部が破断してしまう場合もあった。
【０００５】
更に、このような指サックに指の太い人が指を挿入した場合、前記指サックには伸長性がないため、装着しにくく、場合によっては、装着時又は使用時に指サックが破断する場合があった。
【先行技術文献】
【特許文献】
【０００６】
【特許文献１】特開平９−２２０２４３号公報
【特許文献２】特開２００５−３３４０６５号公報
【特許文献３】特開２００１−２４５７２５号公報
【特許文献４】実開平４−１０４９２２号公報
【発明の概要】
【発明が解決しようとする課題】
【０００７】
本発明はこのような状況下においてなされたものであり、清掃性に優れる、曲げやすく清掃等の操作性に優れる、及び／又は装着しやすく破断しにくい指サックを提供することを目的とする。
【課題を解決するための手段】
【０００８】
本発明の請求項１にかかる発明は「１種又は２種以上の繊維シートからなり、前記繊維シートが接合されていることによって中空部を形成できる指サックであり、前記繊維シートの少なくとも１種が折り襞を有することを特徴とする指サック。」である。
【０００９】
本発明の請求項２にかかる発明は「折り襞の折目線が指サックの長さ方向と交差する方向に延びていることを特徴とする、請求項１に記載の指サック。」である。
【００１０】
本発明の請求項３にかかる発明は「機能性粉体を担持した繊維シートを有することを特徴とする、請求項１又は請求項２に記載の指サック。」である。
【００１１】
本発明の請求項４にかかる発明は「前記機能性粉体がハイドロキシアパタイトであることを特徴とする、請求項３に記載の指サック。」である。
【００１２】
本発明の請求項５にかかる発明は「口腔内清掃用に用いることを特徴とする、請求項１〜４のいずれか一項に記載の指サック。」である。
【発明の効果】
【００１３】
本発明は、折り襞を有する繊維シートを含む、中空部を形成できる指サックであり、指サックに指の腹側が折り襞を有する繊維シート側となるように指を挿入した際に、若干、折り襞の山折目線が突出した状態となる。そのため、清掃操作を行う場合に、この折り襞の山折目線が歯と歯との間などの奥深くまで到達することができるため、清掃性に優れている。また、前記山折目線のエッジを利かせることができるため、歯と歯との間以外であっても清掃性に優れている。
【００１４】
また、折り襞の折目線（山折目線及び谷折目線）が指サックの長さ方向と交差する方向に延びている繊維シートを含む、中空部を形成できる指サックである場合、指の爪側が折り襞を有する繊維シート側となるように指を挿入し、指を曲げて清掃等の操作を行った場合、折り襞の折り込まれた部分が露出することによって曲げやすく、指の動きに追従することができるため、操作性に優れている。
【００１５】
更に、折り襞の折目線（山折目線及び谷折目線）が指サックの長さ方向と平行方向に延びている繊維シートを含む、中空部を形成できる指サックである場合、指を挿入した際に、折り襞の折り込まれた部分が露出するため指を挿入しやすく、装着時又は使用時に指サックが破断することがない。
【００１６】
更に、機能性粉体を担持した繊維シートを有すると、機能性に優れている。例えば、研磨剤を担持していれば、清掃性に優れている。特に、ハイドロキシアパタイトを担持した繊維シートであると、清掃性に加えて、自家骨の形成を促がす、菌等の高い吸着性を発揮する、或いは歯に耐酸性を付与する、などの効果を発揮する。
【００１７】
このように、本発明の指サックは口腔内という複雑な構造を有するところであっても、清掃性に優れている、曲げやすく清掃等の操作性に優れる、及び／又は装着しやすく破断しにくい、という効果を発揮する。
【図面の簡単な説明】
【００１８】
【図１】本発明の指サックの清掃不織布側の模式的平面図
【図２】本発明の指サックの裏面不織布側の模式的平面図
【図３】図１、２の指サックを指に装着した状態の模式的側面図
【図４】本発明の別の指サックの裏面不織布側の模式的平面図
【図５】図４の指サックを指に装着した状態の模式的側面図
【図６】本発明の更に別の指サックの清掃不織布側の模式的平面図
【図７】本発明の更に別の指サックの裏面不織布側の模式的平面図
【図８】実施例１における清掃不織布の寸法を示す平面図
【図９】実施例２における清掃不織布の寸法を示す平面図
【図１０】実施例３における清掃不織布の寸法を示す平面図
【図１１】清掃性の評価で用いた、段差を有する擬似被清掃部材に人工プラークを塗布した写真
【図１２】実施例１〜３の指サックで人工プラークを清掃した後の写真
【図１３】比較例１の指サックで人工プラークを清掃した後の写真
【発明を実施するための形態】
【００１９】
（第１態様）
本発明の指サックについて、清掃不織布側の模式的平面図である図１、裏面不織布側の模式的平面図である図２、及び指サックを指に装着した状態の模式的側面図である図３をもとに説明する。
【００２０】
図１〜３における指サック（第１態様）は、口腔内の歯、歯茎等と当接して清掃作用を奏することができるように、表面にハイドロキシアパタイト粉体Ｐを担持したスパンボンド不織布からなる清掃不織布１と、水流絡合不織布からなる裏面不織布２とが、外周縁に沿ったＵ字状の融着部Ｆによって接合されている。なお、清掃不織布１は４つの折り襞Ｇ１〜Ｇ４が形成されており、各折り襞Ｇ１〜Ｇ４の山折目線ＰＬ１〜ＰＬ４はいずれも指サックの長さ方向と直交する方向に延びている。
【００２１】
図１〜３における指サックの状態においては、前記折り襞Ｇ１〜Ｇ４を４つ有する状態の清掃不織布１と裏面不織布２のいずれも、直線状に延びる第１側辺外縁Ｅ１（図１の上側外縁）、前記第１側辺外縁Ｅ１に接続しており、凸状に湾曲した底辺外縁Ｅ２（図１の左側外縁）、前記底辺外縁Ｅ２に接続しており、直線状に延びる第２側辺外縁Ｅ３（図１の下側外縁）、及び前記第２側辺外縁Ｅ３と第１側辺外縁Ｅ１とを接続し、底辺外縁Ｅ２側に凹状に湾曲した挿入側外縁Ｅｉ（図１の右側外縁）からなる外周縁を有する、釣鐘状の形状を有する。
【００２２】
また、図１〜３における指サックの状態においては、折り襞Ｇ１〜Ｇ４を４つ有する状態の清掃不織布１と裏面不織布２とは同じ大きさを有する。したがって、指を挿入する前の段階では、折り襞Ｇ１〜Ｇ４を４つ有する状態の清掃不織布１と裏面不織布２とは完全に一致して重なった状態にある。
【００２３】
また、融着部Ｆは、図１（清掃不織布１側）において、清掃不織布１の第１側辺外縁Ｅ１と平行に、一定距離だけ離間して直線状に融着した第１側辺融着部Ｆ１、前記第１側辺融着部Ｆ１と接続しており、清掃不織布１の底辺外縁Ｅ２と平行に、一定距離だけ離間し、湾曲して融着した底辺融着部Ｆ２、前記底辺融着部Ｆ２と接続しており、清掃不織布１の第２側辺外縁Ｅ３と平行に、一定距離だけ離間して直線状に融着した第２側辺融着部Ｆ３、とから構成されている。
【００２４】
なお、第１側辺融着部Ｆ１と第２側辺融着部Ｆ３のいずれも、清掃不織布１の挿入側外縁Ｅｉまでは延びておらず、折り襞Ｇ１〜Ｇ４を４つ有する状態の清掃不織布１の第１側辺外縁Ｅ１又は第２側辺外縁Ｅ３の長さ（約９６ｍｍ）のおよそ３分の２の長さを有する。更に、第１側辺融着部Ｆ１の末端Ｆ１ｅ（図１における右側末端）と第２側辺融着部Ｆ３の末端Ｆ３ｅ（図１における右側末端）とは、およそ３０ｍｍ離れている。
【００２５】
図１〜３の指サックは上述のような構成からなり、清掃不織布１と裏面不織布２の挿入側外縁Ｅｉを離間させるように外側に広げることによって、中空部を形成することができるため、この中空部に指３の腹側が折り襞Ｇ１〜Ｇ４を４つ有する状態の清掃不織布１側となるように指を挿入した際に、図３に示すように、若干、折り襞Ｇ１〜Ｇ４の山折目線ＰＬ１〜ＰＬ４が突出した状態となる。そのため、清掃操作を行う場合に、例えば、この折り襞Ｇ１〜Ｇ４の山折目線ＰＬ１〜ＰＬ４が歯と歯との間に位置するようにすると、この山折目線ＰＬ１〜ＰＬ４が歯と歯との間などの奥深くまで到達することができるため、清掃性に優れている。また、山折目線ＰＬ１〜ＰＬ４のエッジを利かせることができるため、歯と歯との間以外であっても清掃性に優れている。
【００２６】
なお、清掃不織布１にはハイドロキシアパタイト粉体Ｐが担持されているため、清掃性に優れているばかりでなく、自家骨の形成を促がす、菌等の高い吸着性を発揮する、或いは歯に耐酸性を付与する、などの効果を発揮する。そのため、口腔内の清掃のために好適に使用できる。
【００２７】
また、融着部Ｆの第１側辺融着部Ｆ１と第２側辺融着部Ｆ３のいずれも、清掃不織布１の挿入側外縁Ｅｉまでは延びておらず、挿入側外縁Ｅｉから第１側辺融着部Ｆ１の末端Ｆ１ｅと第２側辺融着部Ｆ３の末端Ｆ３ｅまでの領域を自由に広げることができるため、指３の挿入性に優れている。
【００２８】
以下、より具体的に説明する。
【００２９】
清掃不織布１として、表面にハイドロキシアパタイト粉体Ｐを担持したスパンボンド不織布を使用し、折り襞Ｇ１〜Ｇ４を４つ有するように折られている。つまり、清掃不織布１は底辺外縁Ｅ２から延び、指サックの長さ方向と直交する方向に延びる山折目線ＰＬ１を山として、底辺外縁Ｅ２側に折り返すことによって折り襞Ｇ１が形成されており、指サックの長さ方向と直交する方向に延びる谷折目線ＰＬ１’を谷として、挿入側外縁Ｅｉ側に折り返し、更に、指サックの長さ方向と直交する方向に延びる山折目線ＰＬ２を山として、底辺外縁Ｅ２側に折り返すことによって折り襞Ｇ２が形成されている。同様に、指サックの長さ方向と直交する方向に延びる谷折目線ＰＬ２’を谷とし、指サックの長さ方向と直交する方向に延びる山折目線ＰＬ３を山として折り襞Ｇ３が形成され、指サックの長さ方向と直交する方向に延びる谷折目線ＰＬ３’を谷とし、指サックの長さ方向と直交する方向に延びる山折目線ＰＬ４を山として折り襞Ｇ４が形成され、指サックの長さ方向と直交する方向に延びる谷折目線ＰＬ４’を谷として、清掃不織布１は挿入側外縁Ｅｉまで延びている。そのため、指３の腹側が清掃不織布１側となるように指を挿入すると、図３に示すように、若干、折り襞Ｇ１〜Ｇ４の山折目線ＰＬ１〜ＰＬ４が突出した状態となるため、清掃性に優れている。
【００３０】
また、図１のように、山折目線ＰＬ１〜ＰＬ４が挿入側外縁Ｅｉ側にあり、それぞれに続く谷折目線ＰＬ１’〜ＰＬ４’が底辺外縁Ｅ２側にあることによって、指を挿入する際に、指先が折り襞Ｇ１〜Ｇ４に引っ掛かることなく挿入できるため、装着性に優れている。しかしながら、装着性を気にしなければ、図１とは異なり、山折目線ＰＬ１〜ＰＬ４が底辺外縁Ｅ２側にあり、それに続く谷折目線ＰＬ１’〜ＰＬ４’が挿入側外縁Ｅｉ側にあっても良い。
【００３１】
なお、図１における清掃不織布１は折り襞Ｇ１〜Ｇ４を４つ有するものであるが、４つである必要はなく、１〜３つ又は５つ以上であっても良い。また、山折目線と隣接する谷折目線との間隔（ＰＬ１−ＰＬ１’、ＰＬ２−ＰＬ２’、ＰＬ３−ＰＬ３’、ＰＬ４−ＰＬ４’）との間隔は特に限定するものではないが、折り襞Ｇ１〜Ｇ４の山折目線ＰＬ１〜ＰＬ４が適度に突出して清掃性に優れるように、３ｍｍ〜１２ｍｍであるのが好ましい。また、山折目線間（ＰＬ１−ＰＬ２、ＰＬ２−ＰＬ３、ＰＬ３−ＰＬ４）の距離も特に限定するものではないが、清掃性に優れているように、３ｍｍ〜１５ｍｍであるのが好ましい。
【００３２】
更に、図１における清掃不織布１は、折り襞Ｇ１〜Ｇ４の山折目線ＰＬ１〜ＰＬ４及び谷折目線ＰＬ１’〜ＰＬ４’が指サックの長さ方向と直交する方向に延びているが、山折目線ＰＬ１〜ＰＬ４及び谷折目線ＰＬ１’〜ＰＬ４’は直交する方向に延びている必要はない。山折目線ＰＬ１〜ＰＬ４又は谷折目線ＰＬ１’〜ＰＬ４’が指サックの長さ方向と交差する方向に延びていれば、同様の作用効果を奏する。本発明における「指サックの長さ方向」とは、指の挿入方向Ｉｄと平行な方向をいう。
【００３３】
図１における清掃不織布１は表面にハイドロキシアパタイト粉体Ｐを担持したスパンボンド不織布からなるが、このスパンボンド不織布は伸長性がないため、清掃時に伸長することなく、効果的に清掃できるため好適である。なお、ハイドロキシアパタイトは化学式Ｃａ１０（ＰＯ４）６（ＯＨ）２で表される塩基性リン酸カルシウムである。
【００３４】
図１においては、スパンボンド不織布を使用しているが、スパンボンド不織布に替えて、例えば、織物、編物、ケミカルボンド不織布、サーマルボンド不織布、ニードルパンチ不織布、水流絡合不織布などの繊維シートとすることができる。本発明の指サックを口腔内清掃用に使用する場合には、意図しない化学物質が使用者（人、ペット動物など）の体内へ侵入しないように、清掃不織布１はスパンボンド不織布、サーマルボンド不織布又は水流絡合不織布であるのが好ましい。
【００３５】
なお、清掃不織布１にはハイドロキシアパタイト粉体Ｐが担持されているため、清掃性に優れているばかりではなく、自家骨の形成を促がす、菌等の高い吸着性を発揮する、或いは歯に耐酸性を付与する、などの効果を発揮する。そのため、口腔内の清掃のために好適に使用できる。
【００３６】
このハイドロキシアパタイト粉体Ｐは焼成されているのが好ましい。焼成されていることによって、清掃用途に使用した場合であっても、摩擦により崩壊せず、前記機能を長期間にわたって発揮しやすいためである。また、ハイドロキシアパタイト粉体Ｐは肌触りが優れているように、球状であるのが好ましい。更に、ハイドロキシアパタイト粉体Ｐの粒径は、スパンボンド不織布等の繊維シートから脱落しにくいように、繊維シート（図１ではスパンボンド不織布）を構成する繊維の平均繊維径の３分の１以下であるのが好ましい。
【００３７】
このように、図１においては、ハイドロキシアパタイト粉体Ｐが担持されているが、ハイドロキシアパタイト粉体Ｐに加えて、又は替えて、機能性粉体が担持されていても良い。このような機能性粉体として、例えば、研磨剤（卵殻、含水ケイ酸、酸化チタン、重質炭酸カルシウム、シリカ、炭酸カルシウム、ピロリン酸カルシウム、ピロリン酸二水素カルシウム、無水ケイ酸、リン酸水素カルシウム、リン酸二水素カルシウムなど）、歯質強化や再石灰化の機能を持つフッ素化合物粉体（モノフルオロリン酸ナトリウム、フッ化ナトリウムなど）、抗炎症作用を促す粉体（トラネキサム酸、ε−アミノカプロン酸、グリチルリチン酸ジカリウム、β−グリチルレチン酸など）、収斂作用を促す粉体（塩化ナトリウムなど）、知覚過敏を抑制する粉体（乳酸アルミニウム、硝酸カリウムなど）を挙げることができる。
【００３８】
このような機能性粉体（ハイドロキシアパタイト粉体Ｐを含む）が、バインダによって担持されていると、機能性粉体表面をバインダが被覆し、その機能が低下、又は発揮できない傾向があるため、機能性粉体は清掃繊維シート（図１ではスパンボンド不織布）を構成する繊維の融着によって担持されているのが好ましい。この繊維の融着による担持方法としては、特開２００４−３０７０号公報に開示されている方法であるのが好ましい。つまり、表面が熱可塑性樹脂からなる繊維を含む繊維シート（図１ではスパンボンド不織布）に対して、前記熱可塑性樹脂の融点よりも高い温度に加熱した機能性粉体を接触させ、熱可塑性樹脂の融着によって、機能性粉体を担持させるのが好ましい。
【００３９】
なお、図１においては、ハイドロキシアパタイト粉体Ｐは清掃不織布１の全面に担持されているが、第１側辺融着部Ｆ１の末端Ｆ１ｅと第２側辺融着部Ｆ３の末端Ｆ３ｅとを結んでできる直線よりも、融着部Ｆを有する側の領域（図１における左側の領域）のみに担持されているなど、清掃等に関与する領域のみに担持されていても良く、特に限定するものではない。
【００４０】
一方、図２における裏面不織布２は水流絡合不織布からなるため、意図しない化学物質が使用者（人、ペット動物など）の体内へ侵入せず、また、肌触りも優れている。
【００４１】
なお、水流絡合不織布を構成する繊維は特に限定するものではないが、例えば、レーヨンなどの再生繊維、アセテートなどの半合成繊維、ナイロン、ビニロン、ビニリデン、ポリ塩化ビニル、ポリエスエル、アクリル、ポリオレフィン（ポリエチレン、ポリプロピレンなど）、ポリウレタン、エラストマーなどの合成繊維、綿などの植物繊維などを挙げることができる。なお、繊維は一成分の樹脂から構成されている必要はなく、二成分以上の樹脂から構成されていても良い。特に、熱収縮率の異なる複数の樹脂が複合された複合繊維、より具体的には、ポリエステル−低融点ポリエステル又はポリプロピレン−エチレン・プロピレンコポリマーからなる、偏芯型芯鞘構造又はサイドバイサイド型構造の繊維は、捲縮を発現することによって、捲縮数が５０（個／２５．４ｍｍ、ＪＩＳ  Ｌ１０１５：２０１０  ８．１２．１  けん縮数に規定する方法により得られる値）以上の高捲縮繊維となることができ、このような高捲縮繊維を含む（好ましくは５０ｍａｓｓ％以上含み、より好ましくは８０ｍａｓｓ％以上含み、更に好ましくは９０ｍａｓｓ％含む）水流絡合不織布は伸長性に優れ、また、肌触りも優れ、更には、伸縮性もあるため、挿入した指３との密着性に優れているため好適である。
【００４２】
図２における裏面不織布２は水流絡合不織布である必要はなく、例えば、織物、編物、スパンボンド不織布、ケミカルボンド不織布、サーマルボンド不織布、ニードルパンチ不織布などの繊維シートであっても良い。清掃不織布１と同様に、意図しない化学物質が使用者（人、ペット動物など）の体内へ侵入しないように、裏面不織布２はスパンボンド不織布、サーマルボンド不織布又は水流絡合不織布であるのが好ましい。
【００４３】
なお、清掃不織布１、裏面不織布２のいずれも一般的には白色のシートであることから、清掃不織布１と裏面不織布２とを識別しにくい傾向があるため、清掃不織布１又は裏面不織布２を明確に認識できるような目印を有するのが好ましい。例えば、清掃不織布１及び／又は裏面不織布２として、異なる色のものを用いる、清掃不織布１及び／又は裏面不織布２に、図形、文字、模様等のプリントを施し、異なる表面状態にする、清掃不織布１及び／又は裏面不織布２に、エンボス加工等により凹凸を設け、異なる表面状態にする、ことができる。
【００４４】
また、本発明の指サックを口腔内の清掃用に用いる場合には、清掃不織布１や裏面不織布２が分泌される唾液により濡れ、結果として、挿入している指が濡れ、また口腔内に感染が認められる場合には、指への感染源の付着による二次感染が生じる場合が考えられるため、これらを予防するために、清掃不織布１及び／又は裏面不織布２の内側（指との当接側）に、液体を透過しないフィルムをラミネートすることができる。
【００４５】
このフィルムの組成は任意に選定できるが、例えば、ポリエチレン（高密度ポリエチレン、中密度ポリエチレン、低密度ポリエチレンなど）、ポリ塩化ビニル、ポリ塩化ビニリデン、ポリビニルアルコール、ポリプロピレン（二軸延伸ポリプロピレン、無軸延伸ポリプロピレンなど）、ポリエステル（ポリエチレンテレフタレート、ポリテトラエチレンテレフタレート、ポリブチレンテレフタレートなど）、ポリ乳酸、ポリウレタン、ポリカーボネート、ポリスチレン、ポリアクリロニトリル、エチレン酢酸ビニル共重合体、エチレン−ビニルアルコール共重合体、エチレン−メタクリル酸共重合体、ナイロン、セロファンなどが使用できる。なお、指サックの操作性に優れているように、フィルムはポリウレタン樹脂やポリオレフィンエラストマー樹脂であるのが好適である。
【００４６】
なお、フィルムのラミネートの方法は従来から公知の方法で実施することができ、例えば、フィルムと清掃不織布１又は裏面不織布２とを接着剤でラミネートするドライラミネートや、清掃不織布１又は裏面不織布２の上に溶融樹脂をラミネートし、直接フィルムを形成するダイレクトラミネートなどを挙げることができる。しかしながら、これら既知の手法に限定するものではない。
【００４７】
図１〜３の指サックにおいては、釣鐘状の外形を有する清掃不織布１と裏面不織布２とが、外周縁に沿ったＵ字状の融着部Ｆによって接合されているため、清掃不織布１と裏面不織布２の挿入側外縁Ｅｉを外側に広げて形成される中空部に、指３を挿入することができる。しかしながら、指３を挿入することができる限り、清掃不織布１と裏面不織布２の外形は釣鐘状である必要はない。例えば、長方形状、台形状、半長円状であっても良い。
【００４８】
また、図１〜３の指サックにおいては、Ｕ字状の融着部Ｆは第１側辺融着部Ｆ１の末端Ｆ１ｅから第２側辺融着部Ｆ３の末端Ｆ３ｅまでの太さが一定であるが、融着部の太さは一定である必要はない。例えば、第１側辺融着部Ｆ１の末端Ｆ１ｅ及び／又は第２側辺融着部Ｆ３の末端Ｆ３ｅの近傍（例えば、第１側辺融着部Ｆ１の末端Ｆ１ｅ又は第２側辺融着部Ｆ３の末端Ｆ３ｅから５ｍｍ程度の範囲）において、融着部の太さを太く（例えば、２倍）することによって、清掃等の操作時に、指サックが指から抜けにくくすることができる。
【００４９】
なお、清掃不織布１と裏面不織布２とを接合する融着部Ｆとは独立して、第１側辺融着部Ｆ１の末端Ｆ１ｅ及び／又は第２側辺融着部Ｆ３の末端Ｆ３ｅよりもやや内側に、融着部（例えば、５ｍｍ程度の長さ）を設けることによっても、前記と同様に、清掃等の操作時に、指サックが指から抜けにくくすることができる。
【００５０】
また、図１〜３の指サックにおいては、中空部を形成し、指を挿入した時に、清掃不織布１と裏面不織布２のいずれもが変形しないと仮定した場合に、清掃不織布１と裏面不織布２とは同じ面積で指を覆うことができるが、中空部を形成して指３を挿入できる限り、同じ面積である必要はない。例えば、前記のように仮定した場合に、清掃不織布１と裏面不織布２とは１：４〜４：１の面積比率で指を覆うことができる。しかしながら、清掃不織布１による折り襞Ｇ１〜Ｇ４による清掃性を考慮すると、前記のように仮定した場合に、清掃不織布１と裏面不織布２とは１：１〜３：１の面積比率で指を覆うことができるのが好ましい。
【００５１】
なお、図１〜３の指サックにおいては、清掃不織布１と裏面不織布２の２種類の繊維シートから構成しているが、２種類の繊維シートから構成する必要はない。例えば、折り襞を有する１種類の繊維シートから構成することができるし、３種類以上の繊維シートから構成することができる。
【００５２】
また、図１〜３の指サックにおいては、清掃不織布１にのみハイドロキシアパタイト粉体Ｐが担持されており、裏面不織布２には担持されていないが、裏面不織布２にもハイドロキシアパタイト粉体等の機能性粉体が担持されていれば、裏面不織布２も清掃不織布として使用することができる。
【００５３】
更に、図１〜３の指サックにおける融着部Ｆは、第１側辺外縁Ｅ１、底辺外縁Ｅ２及び第２側辺外縁Ｅ３と平行に一定距離だけ離間したＵ字状であるが、このようなＵ字状である必要はない。例えば、第１側辺外縁Ｅ１、底辺外縁Ｅ２、及び／又は第２側辺外縁Ｅ３と平行である必要はなく、第１側辺融着部Ｆ１、底辺融着部Ｆ２、及び／又は第２側辺融着部Ｆ３と、第１側辺外縁Ｅ１、底辺外縁Ｅ２、又は第２側辺外縁Ｅ３との距離が連続的に、又は不連続的に変化しても良い。また、第１側辺融着部Ｆ１、底辺融着部Ｆ２、及び／又は第２側辺融着部Ｆ３は、第１側辺外縁Ｅ１、底辺外縁Ｅ２、又は第２側辺外縁Ｅ３と離間している必要はなく、第１側辺外縁Ｅ１、底辺外縁Ｅ２、及び／又は第２側辺外縁Ｅ３を含んで融着していても良い。更に、第１側辺融着部Ｆ１と第２側辺融着部Ｆ３だけで指を固定することができるため、底辺融着部Ｆ２がなくても良い。
【００５４】
更に、図１〜３の指サックにおいては、第１側辺融着部Ｆ１と第２側辺融着部Ｆ３のいずれも、清掃不織布１の挿入側外縁Ｅｉまでは延びておらず、第１側辺融着部Ｆ１、第２側辺融着部Ｆ３のいずれの長さも、第１側辺外縁Ｅ１、第２側辺外縁Ｅ３の長さのおよそ３分の２の長さであるが、このように融着している必要はない。例えば、第１側辺融着部Ｆ１及び／又は第２側辺融着部Ｆ３は、清掃不織布１の挿入側外縁Ｅｉまで延びていても良いし、延びていないにしても、その長さは第１側辺外縁Ｅ１、第２側辺外縁Ｅ３の長さのおよそ３分の２の長さである必要はない。この第１側辺融着部Ｆ１と第２側辺融着部Ｆ３の長さは指３の挿入長さに相当するため、指サックの指３との密着性に優れるように、第１側辺融着部Ｆ１と第２側辺融着部Ｆ３の長さは、子供から大人の指の長さを考慮すると、３０ｍｍ〜６０ｍｍであるのが好ましい。
【００５５】
更に、図１〜３においては、第１側辺融着部Ｆ１の末端Ｆ１ｅと第２側辺融着部Ｆ３の末端Ｆ３ｅとの距離は、挿入する指（通常、人差し指）の外周の半分の長さに相当する。そのため、第１側辺融着部Ｆ１の末端Ｆ１ｅと第２側辺融着部Ｆ３の末端Ｆ３ｅとの距離は、使用者によって適宜調節するのが好ましい。例えば、一般的な成人男性を使用者と想定した場合には、３０〜３５ｍｍとするのが好ましい。
【００５６】
更に、図１〜３においては、融着部Ｆによって、清掃不織布１と裏面不織布２とが接合されているが、融着部Ｆによって接合されている必要はない。例えば、縫合によって接合されていても良いし、ホットメルト等の接着剤の接着作用によって接合されていても良い。
【００５７】
更に、本発明の指サックは口腔内の清掃のために好適に使用できるものであるが、耳周辺や指の間の清掃用、爪磨き用、化粧用（あぶら取り、マッサージ、メーク直しなど）、宝飾品の清掃用、スマートフォンなどの画面の清掃用の指サックとしても好適に使用することができる。また、紙をめくる際の指サックとしても使用することができる。
【００５８】
この図１〜３に示すような指サックは、例えば、次のようにして製造できる。
【００５９】
まず、清掃不織布１は、常法によりスパンボンド不織布を製造、又は用意した後、例えば、特開２００４−３０７０号公報に開示されている方法で、ハイドロキシアパタイト粉体Ｐをスパンボンド不織布に担持させる。つまり、前記スパンボンド不織布を構成する熱可塑性繊維の融点よりも高い温度に加熱したハイドロキシアパタイト粉体Ｐを、スパンボンド不織布に接触させ、熱可塑性繊維の融着によって、ハイドロキシアパタイト粉体Ｐを担持させる。次いで、ハイドロキシアパタイト粉体Ｐを担持したスパンボンド不織布を、衣料用途で使用されているような、プリーツ加工機により、折り襞を所望数、所望間隔で形成する。
【００６０】
一方で、裏面不織布２を水流絡合法により水流絡合不織布を製造する。
【００６１】
そして、折り襞Ｇ１〜Ｇ４を有する清掃不織布１と裏面不織布２とを重ねた状態で、超音波等によって、Ｕ字状に融着して接合（融着部Ｆを形成）した後、融着部Ｆと平行に、融着部Ｆよりも若干外側を、釣鐘状に打ち抜くことによって、図１〜３に示すような指サックを製造することができる。
【００６２】
（第２態様）
図１〜３における指サックは清掃不織布１が折り襞を有する態様であるが、清掃不織布１に替えて、又は加えて、裏面不織布２が折り襞を有していても良い。一例として、折り襞を有していない清掃不織布１と折り襞Ｇ１〜Ｇ５を有する裏面不織布２とからなる指サック（第２態様）の裏面不織布側の模式的平面図を図４に、また、この指サックを指に装着した状態の模式的側面図を図５に示す。この第２態様の指サックにおいては、折り襞Ｇ１〜Ｇ５の山折目線ＰＬ１〜ＰＬ５及び谷折目線ＰＬ１’〜ＰＬ５’が指サックの長さ方向と直交する方向に延びている裏面不織布を備えているため、図５に示すように、指の爪側が折り襞Ｇ１〜Ｇ５を有する裏面不織布側となるように指を挿入し、指を曲げて清掃等の操作を行った場合、折り襞Ｇ１〜Ｇ５の折り込まれた部分（山折目線ＰＬ１〜ＰＬ４と谷折目線ＰＬ１’〜ＰＬ４’の間の部分）が露出することができるため曲げやすく、指の動きに追従することができるため、操作性に優れるという特長を有する。
【００６３】
なお、第２態様においては、裏面不織布は５つの折り襞を有し、第１態様の４つの折り襞を有する清掃不織布とは折り襞の数が異なるが、これは、裏面不織布における曲げやすい範囲を指の第二関節まで延ばすことによって、指の動きに追従しやすく、操作性に優れるようにするためである。このように、折り襞の数は適宜設定することができる。
【００６４】
この第２態様の第１態様との相違点は、折り襞を有していない清掃不織布１と折り襞を有する裏面不織布２とからなること、及び裏面不織布２の折り襞の数が異なる点にあるが、その他の点については、第１態様と全く同様であることができるし、同様の変形も可能である。
【００６５】
（第３態様）
図１〜３における指サックは、清掃不織布１における折り襞Ｇ１〜Ｇ４の山折目線ＰＬ１〜ＰＬ４及び谷折目線ＰＬ１’〜ＰＬ４’が指サックの長さ方向と直交する方向に延びる態様であるが、山折目線ＰＬ１〜ＰＬ４又は谷折目線ＰＬ１’〜ＰＬ４’は直交する方向に延びている必要はない。一例として、清掃不織布１における折り襞の山折目線ＰＬ１〜ＰＬ４及び谷折目線ＰＬ１’〜ＰＬ４’が指サックの長さ方向と平行な方向に延びる清掃不織布１の模式的平面図を図６に示す。
【００６６】
この第３態様においては、清掃不織布１における折り襞の山折目線ＰＬ１〜ＰＬ４及び谷折目線ＰＬ１’〜ＰＬ４’が指サックの長さ方向と平行な方向に延びているため、このような清掃不織布１を備えた指サックに指を挿入した際に、折り襞の折り込まれた部分（山折目線ＰＬ１〜ＰＬ４と谷折目線ＰＬ１’〜ＰＬ４’の間の部分）が露出できるため、指の太い人が指を挿入したとしても挿入しやすく、装着時又は使用時に指サックが破断することがないという特長を有する。
【００６７】
また、第３態様の指サックに指の腹側が折り襞を有する清掃不織布１側となるように指を挿入した際に、若干、折り襞の山折目線が突出した状態となるため、この折り襞の山折目線ＰＬ１〜ＰＬ４を歯と歯との間などの奥深くまで到達させることができるため、清掃性に優れている。また、この山折目線ＰＬ１〜ＰＬ４のエッジを利かせることができるため、歯と歯との間以外であっても清掃性に優れている。
【００６８】
この第３態様の第１態様との相違点は、清掃不織布１における折り襞の山折目線ＰＬ１〜ＰＬ４及び谷折目線ＰＬ１’〜ＰＬ４’の延びる方向にあり、その他の点については、第１態様と全く同様であることができるし、同様の変形も可能である。
【００６９】
（第４態様）
図１〜３における指サックは、清掃不織布１における折り襞の山折目線ＰＬ１〜ＰＬ４及び谷折目線ＰＬ１’〜ＰＬ４’が指サックの長さ方向と直交する方向に延びる態様であるが、山折目線ＰＬ１〜ＰＬ４又は谷折目線ＰＬ１’〜ＰＬ４’は直交する方向に延びている必要はない。他例として、裏面不織布２が折り襞を有し、その山折目線ＰＬ１〜ＰＬ４及び谷折目線ＰＬ１’〜ＰＬ４’が指サックの長さ方向と平行な方向に延びる裏面不織布２の模式的平面図を図７に示す。
【００７０】
この第４態様においても、第３態様と同様に、裏面不織布２における折り襞の山折目線ＰＬ１〜ＰＬ４及び谷折目線ＰＬ１’〜ＰＬ４’が指サックの長さ方向と平行な方向に延びているため、このような裏面不織布２を備えた指サックに、指の爪側が折り襞を有する裏面不織布側となるように指を挿入した際に、折り襞の折り込まれた部分（山折目線ＰＬ１〜ＰＬ４と谷折目線ＰＬ１’〜ＰＬ４’の間の部分）が露出できるため、指の太い人が指を挿入したとしても挿入しやすく、装着時又は使用時に指サックが破断することがないという特長を有する。
【００７１】
また、指の爪側が折り襞を有する裏面不織布側となるように指を挿入し、指を曲げて清掃等の操作を行った場合も、折り襞の折り込まれた部分（山折目線ＰＬ１〜ＰＬ４と谷折目線ＰＬ１’〜ＰＬ４’の間の部分）が露出することができるため曲げやすく、指の動きに追従することができるため、操作性に優れるという特長も有する。
【００７２】
この第４態様の第１態様との相違点は、裏面不織布２が折り襞を有し、その山折目線ＰＬ１〜ＰＬ４及び谷折目線ＰＬ１’〜ＰＬ４’が指サックの長さ方向と平行な方向に延びている点にあり、その他の点については、第１態様と全く同様であることができるし、同様の変形も可能である。
【実施例】
【００７３】
以下に、本発明の実施例を記載するが、本発明は次の実施例に限定されるものではない。
【００７４】
（実施例１）
まず、青色原着ポリプロピレンスパンボンド不織布［シンワ株式会社製、６６３０−１Ｃブルー、融点：１５０〜１７０℃、目付：３０ｇ／ｍ２、平均繊維径：約２０μｍ、厚さ：０．２ｍｍ（０．９８Ｎ荷重時）］を用意した。
【００７５】
次いで、前記スパンボンド不織布に、特開２００４−３０７０号公報に開示されている技術によって、ハイドロキシアパタイト粉体Ｐを担持させた。つまり、略球状の焼成ハイドロキシアパタイト粒子（ソフセラ社製、品名：ｍｉｃｒｏ−ＳＨＡｐ、品番：ＩＨＭ−１００Ｐ０００、平均粒径：４．０μｍ）を２２０℃に加熱し、１６０℃の気流とともに、スパンボンド不織布の片面に吹き付けた後、放冷した。続いて、スパンボンド不織布を構成するポリプロピレン繊維に絡んだだけであり、ポリプロピレン繊維に担持されていないハイドロキシアパタイト粉体Ｐをエアーにより除去して、ハイドロキシアパタイト粉体Ｐを全面に担持した清掃不織布１ａ（担持量：１ｇ／ｍ２）を製造した。
【００７６】
他方で、ポリプロピレン（＝芯成分、融点：１４０〜１６５℃）／エチレン・プロピレンコポリマー（＝鞘成分、融点：１３１〜１３５℃）の組み合わせで偏芯型芯鞘に構成された潜在捲縮性繊維（繊度２．２ｄｔｅｘ、繊維長４１ｍｍ）１００ｍａｓｓ％からなる繊維ウエブを、径０．１３ｍｍのノズルをピッチ１．２ｍｍで配置したノズルプレートから、水圧８ＭＰａで噴出させた水流により絡合させて水流絡合繊維ウエブを形成した。
【００７７】
次いで、水流絡合繊維ウエブを乾燥した後、よこ方向を規制することなく、たて方向にオーバーフィードしつつ、コンベアで搬送する水流絡合繊維ウエブに対して、熱風ドライヤーによる温度１２５℃での熱処理を行うことによって、潜在捲縮性繊維の捲縮を発現させて、高捲縮繊維からなる白色の伸長性不織布［目付：９５ｇ／ｍ２、厚さ：０．８５ｍｍ（０．９８Ｎ荷重時）］、つまり裏面不織布２を製造した。
【００７８】
続いて、清掃不織布１ａに、山折目線ＰＬ１〜ＰＬ４が挿入側外縁Ｅｉ側にあり、それぞれに続く谷折目線ＰＬ１’〜ＰＬ４’が底辺外縁Ｅ２側にある折り襞Ｇ１〜Ｇ４を４つ形成し、裏面不織布２と重ねた状態で、超音波によって、Ｕ字状に融着して接合（融着部Ｆを形成）した後、融着部Ｆと平行に、融着部Ｆよりも２ｍｍ外側を、釣鐘状に打ち抜いて、図８に示すような寸法の清掃不織布１ａ（折り襞の明瞭化のため、ハイドロキシアパタイト粉体は省略）を有する指サックを製造した。
【００７９】
つまり、清掃不織布１ａの外周縁に沿って、外周縁に平行に、２ｍｍ離間して、幅１ｍｍのＵ字状の融着部Ｆを有する指サック（中空部を形成し、指を挿入した時に、清掃不織布１と裏面不織布２のいずれもが変形しないと仮定した場合の、清掃不織布１と裏面不織布２との面積比率＝１：１）を製造した。なお、第１側辺融着部Ｆ１、第２側辺融着部Ｆ３の長さはいずれも約６０ｍｍであり、それぞれ第１側辺外縁Ｅ１、第２側辺外縁Ｅ３の長さの約３分の２であった。更に、第１側辺融着部の末端Ｆ１ｅと第２側辺融着部の末端Ｆ３ｅとの距離は３０ｍｍとした。なお、底辺外縁Ｅ２から山折目線ＰＬ１までの長さ１２ｍｍ、山折目線ＰＬ１から谷折目線ＰＬ１’までの長さ７ｍｍ、山折目線間（ＰＬ１−ＰＬ２、ＰＬ２−ＰＬ３、ＰＬ３−ＰＬ４）の長さ８ｍｍ、谷折目線間（ＰＬ１’−ＰＬ２’、ＰＬ２’−ＰＬ３’、ＰＬ３’−ＰＬ４’）の長さ８ｍｍであり、いずれの山折目線ＰＬ１〜ＰＬ４及び谷折目線ＰＬ１’〜ＰＬ４’も指サックの長さ方向と直交する方向に延びていた。
【００８０】
（実施例２）
実施例１と同様に、清掃不織布１ａと裏面不織布２を製造した。
【００８１】
続いて、清掃不織布１ａに、山折目線ＰＬ１〜ＰＬ５が挿入側外縁Ｅｉ側にあり、それぞれに続く谷折目線ＰＬ１’〜ＰＬ５’が底辺外縁Ｅ２側にある折り襞Ｇ１〜Ｇ５を５つ形成し、裏面不織布２と重ねた状態で、超音波によって、Ｕ字状に融着して接合（融着部Ｆを形成）した後、融着部Ｆと平行に、融着部Ｆよりも１．５ｍｍ外側を、釣鐘状に打ち抜いて、図９に示すような寸法の清掃不織布１ａ（折り襞の明瞭化のため、ハイドロキシアパタイト粉体は省略）を有する指サックを製造した。
【００８２】
つまり、清掃不織布１ａの外周縁に沿って、外周縁に平行に、１．５ｍｍ離間して、幅１ｍｍのＵ字状の融着部Ｆを有する指サック（中空部を形成し、指を挿入した時に、清掃不織布１と裏面不織布２のいずれもが変形しないと仮定した場合の、清掃不織布１と裏面不織布２との面積比率＝１：１）を製造した。なお、第１側辺融着部Ｆ１、第２側辺融着部Ｆ３の長さはいずれも約６２ｍｍであり、それぞれ第１側辺外縁Ｅ１、第２側辺外縁Ｅ３の長さの約３分の２であった。更に、第１側辺融着部の末端Ｆ１ｅと第２側辺融着部の末端Ｆ３ｅとの距離は３２ｍｍとした。なお、底辺外縁Ｅ２から山折目線ＰＬ１までの長さ１０ｍｍ、山折目線ＰＬ１から谷折目線ＰＬ１’までの長さ３ｍｍ、山折目線間（ＰＬ１−ＰＬ２、ＰＬ２−ＰＬ３、ＰＬ３−ＰＬ４、ＰＬ４−ＰＬ５）の長さ５ｍｍ、谷折目線間（ＰＬ１’−ＰＬ２’、ＰＬ２’−ＰＬ３’、ＰＬ３’−ＰＬ４’、ＰＬ４‘−ＰＬ５’）の長さ５ｍｍであり、いずれの山折目線ＰＬ１〜ＰＬ５及び谷折目線ＰＬ１’〜ＰＬ５’も指サックの長さ方向と直交する方向に延びていた。
【００８３】
（実施例３）
まず、ポリプロピレン繊維（繊度２．２ｄｔｅｘ、繊維長５１ｍｍ）７０ｍａｓｓ％、レーヨン繊維（繊度１．７ｄｔｅｘ、繊維長４０ｍｍ）２５ｍａｓｓ％、ポリエチレン（融点：１３０℃）／ポリプロピレン（融点：１６０℃）の芯鞘型複合繊維（繊度１．７ｄｔｅｘ、繊維長５１ｍｍ）５ｍａｓｓ％を混合した繊維ウエブを作製し、この繊維ウエブに対して水流絡合処理および乾燥処理を行い、目付：６５ｇ／ｍ２、厚さ：０．５５ｍｍ（０．９８Ｎ荷重時）の水流絡合不織布を得た。
【００８４】
次いで、前記水流絡合不織布に、実施例１と同様にして、ハイドロキシアパタイト粉体Ｐを全面に担持させて、清掃不織布１ｂ（担持量：１ｇ／ｍ２）を製造した。
【００８５】
他方で、実施例１と同様に裏面不織布２を製造した。
【００８６】
続いて、清掃不織布１ｂに、山折目線ＰＬ１〜ＰＬ５が挿入側外縁Ｅｉ側にあり、それぞれに続く谷折目線ＰＬ１’〜ＰＬ５’が底辺外縁Ｅ２側にある折り襞Ｇ１〜Ｇ５を５つ形成し、裏面不織布２と重ねた状態で、超音波によって、Ｕ字状に融着して接合（融着部Ｆを形成）した後、融着部Ｆと平行に、融着部Ｆよりも２ｍｍ外側を、釣鐘状に打ち抜いて、図１０に示すような寸法の清掃不織布１ｂ（折り襞の明瞭化のため、ハイドロキシアパタイト粉体は省略）を有する指サックを製造した。
【００８７】
つまり、清掃不織布１ｂの外周縁に沿って、外周縁に平行に、２ｍｍ離間して、幅１ｍｍのＵ字状の融着部Ｆを有する指サック（中空部を形成し、指を挿入した時に、清掃不織布１と裏面不織布２のいずれもが変形しないと仮定した場合の、清掃不織布１と裏面不織布２との面積比率＝１：１）を製造した。なお、第１側辺融着部Ｆ１、第２側辺融着部Ｆ３の長さはいずれも約６０ｍｍであり、それぞれ第１側辺外縁Ｅ１、第２側辺外縁Ｅ３の長さの約３分の２であった。更に、第１側辺融着部の末端Ｆ１ｅと第２側辺融着部の末端Ｆ３ｅとの距離は３０ｍｍとした。なお、底辺外縁Ｅ２から山折目線ＰＬ１までの長さ１５ｍｍ、山折目線ＰＬ１から谷折目線ＰＬ１’までの長さ９ｍｍ、山折目線間（ＰＬ１−ＰＬ２、ＰＬ２−ＰＬ３、ＰＬ３−ＰＬ４、ＰＬ４−ＰＬ５）の長さ６ｍｍ、谷折目線間（ＰＬ１’−ＰＬ２’、ＰＬ２’−ＰＬ３’、ＰＬ３’−ＰＬ４’、ＰＬ４‘−ＰＬ５’）の長さ６ｍｍであり、いずれの山折目線ＰＬ１〜ＰＬ５及び谷折目線ＰＬ１’〜ＰＬ５’も指サックの長さ方向と直交する方向に延びていた。
【００８８】
（比較例１）
実施例１と同様に、清掃不織布１ａと裏面不織布２を製造した。
【００８９】
続いて、折り襞のない清掃不織布１ａと裏面不織布２とを重ねた状態で、超音波によって、Ｕ字状に融着して接合（融着部Ｆを形成）した後、融着部Ｆと平行に、融着部Ｆよりも２ｍｍ外側を、釣鐘状に打ち抜いて、図８に示すような寸法の清掃不織布１ａ（折り襞なし、ハイドロキシアパタイト粉体は省略）を有する指サックを製造した。
【００９０】
なお、第１側辺融着部Ｆ１、第２側辺融着部Ｆ３の長さはいずれも約６０ｍｍであり、それぞれ第１側辺外縁Ｅ１、第２側辺外縁Ｅ３の長さの約３分の２であった。更に、第１側辺融着部の末端Ｆ１ｅと第２側辺融着部の末端Ｆ３ｅとの距離は３０ｍｍとした。
【００９１】
（清掃性の評価）
２ｍｍの段差を有する擬似被清掃部材（ブリキ製）に、段差を含んで人工プラークを塗布（図１１参照）した後、実施例１〜３又は比較例１の指サックに、成人男性が、指の腹が清掃不織布１ａ、１ｂ側となるように右手人指し指を挿入して装着し、指の腹の部分で、たて方向（指サックの長さ方向）及びよこ方向（たて方向と直交する方向）に数回往復させることで、人工プラークの清掃を行った。その結果、実施例１〜３の指サックを用いた場合には、いずれも拭き残しはなく、清掃性に優れたものであった（図１２参照）。これに対して、比較例１の指サックを用いた場合には、段差部分に拭き残しのある、清掃性に劣るものであった（図１３参照）。
【産業上の利用可能性】
【００９２】
本発明の指サックは、成人、乳幼児、老人、病人、又はペット動物等の歯や歯茎の清掃やマッサージのために好適に使用できる。
【符号の説明】
【００９３】
１  清掃不織布
２  裏面不織布
３  指
Ｅ１  第１側辺外縁
Ｅ２  底辺外縁
Ｅ３  第２側辺外縁
Ｅｉ  挿入側外縁
Ｆ  融着部
Ｆ１  第１側辺融着部
Ｆ２  底辺融着部
Ｆ３  第２側辺融着部
Ｆ１ｅ  第１側辺融着部の末端
Ｆ３ｅ  第２側辺融着部の末端
Ｐ  ハイドロキシアパタイト粉体
Ｉｄ  指の挿入方向
Ｇ１〜Ｇ５  折り襞
ＰＬ１〜ＰＬ５  山折目線
ＰＬ１’〜ＰＬ５’  谷折目線
【図１】
2015130993.tif 000003
【図２】
2015130993.tif 000004
【図３】
2015130993.tif 000005
【図４】
2015130993.tif 000006
【図５】
2015130993.tif 000007
【図６】
2015130993.tif 000008
【図７】
2015130993.tif 000009
【図８】
2015130993.tif 000010
【図９】
2015130993.tif 000011
【図１０】
2015130993.tif 000012
【図１１】
2015130993.tif 000013
【図１２】
2015130993.tif 000014
【図１３】
2015130993.tif 000015